(57)【要約】【課題】時刻を較正するための標準電波を受信して、内蔵するクロックの時刻を自動的に修正する電波時計用のクロック装置を、全体としてより小型化して省スペースを図ると共に、実装工程を含めた全体としてより安価にすることが可能な電波時計用のクロック装置を提供する。【解決手段】標準電波を受信するアンテナと、このアンテナと共働して共振回路を構成する同調用コンデンサと、表面に、少なくともアンテナと同調用コンデンサとを実装して、標準電波を受信する受信回路を構成する回路パターンを形成し、裏面に回路基板と接続する電極を形成すると共に、側面に回路パターンと電極とを接続する接続用導体を形成した基板とを有することを特徴とする電波時計用のクロック装置によって達成される。【選択図】      図１
2004279280.tif 000002
【特許請求の範囲】
【請求項１】
標準電波を受信するアンテナと、
該アンテナと共働して共振回路を構成する同調用コンデンサと、
表面に、少なくとも前記アンテナと前記同調用コンデンサとを実装して、標準電波を受信する受信回路を構成する回路パターンを形成し、裏面に回路基板と接続する電極を形成すると共に、側面に前記回路パターンと前記電極とを接続する接続用導体を形成した基板とを有することを特徴とする電波時計用のクロック装置。
【請求項２】
前記回路パターンに、前記受信回路を構成する前記アンテナと前記同調用コンデンサと共に、所定のクロック信号を発生する水晶発振器、及び前記共振回路を駆動して前記アンテナで受信した受信信号を処理すると共に前記水晶発振器から得た前記クロック信号を処理して、前記クロック信号と前記受信信号とを比較して時刻を修正するＩＣの少なくとも一方が配置されていることを特徴とする請求項１記載の電波時計用のクロック装置。
【請求項３】
前記アンテナと前記同調用コンデンサ、或いは前記アンテナと前記同調用コンデンサ及び前記水晶発振器と前記ＩＣとの少なくとも一方、のいずれかが実装された前記基板の表面が樹脂封止されていることを特徴とする請求項１又は２記載の電波時計用のクロック装置。
【請求項４】
前記アンテナが複数個であって、異なった方向に沿って配置されていることを特徴とする請求項１ないし３のいずれか１項に記載の電波時計用のクロック装置。
【請求項５】
前記アンテナが複数個であって、異なった方向に沿って配置されているアンテナが、互いに直交する４方向に突出して形成された十字型のアンテナであることを特徴とする請求項４記載の電波時計用のクロック装置。
【請求項６】
前記アンテナが、あらかじめ保護コーティングされた耐熱アンテナであることを特徴とする請求項１ないし５のいずれか１項に記載の電波時計用のクロック装置。
【請求項７】
標準電波を受信するアンテナと、該アンテナと共働して共振回路を構成する同調用コンデンサと、少なくとも前記アンテナと前記同調用コンデンサとを実装する基板とを有する電波時計用のクロック装置において、
前記アンテナと前記同調用コンデンサとを実装する基体が、前記基板をマトリックス状に配置した集合基板であって、
該集合基板の表面に、前記アンテナと前記同調用コンデンサとを実装して受信回路を構成するための回路パターンを形成する回路形成工程と、
前記集合基板の所定の位置に、前記アンテナと前記同調用コンデンサとをそれぞれ実装する実装工程と、
前記アンテナと前記同調用コンデンサとの実装された前記集合基板を樹脂封止するモールド工程と、
この樹脂封止された前記集合基板をダイシングして、個々の電波時計用のクロック装置に分割するダイシング工程とを有することを特徴とする電波時計用のクロック装置の製造方法。
【請求項８】
前記集合基板にマトリックス状に配置された前記基板の隅部に基板の側面の一部を構成する貫通孔を設け、
前記回路形成工程において、前記集合基板の表面に前記回路パターンを、裏面に回路基板と接続する電極を、前記貫通孔に前記回路パターンと前記電極とを接続する接続用導体を形成することを特徴とする請求項７記載の電波時計用のクロック装置の製造方法。
【請求項９】
前記集合基板の表面には、前記アンテナと前記同調用コンデンサと共に、所定のクロック信号を発生する水晶発振器、及び前記共振回路を駆動して前記アンテナで受信した受信信号を処理すると共に前記水晶発振器から得た前記クロック信号を処理して、前記クロック信号と前記受信信号とを比較して時刻を修正するＩＣの少なくとも一方が実装されることを特徴とする請求項７又は８記載の電波時計用のクロック装置の製造方法。
【請求項１０】
前記実装工程で実装される前記アンテナが、あらかじめ保護コーティングされた耐熱アンテナであることを特徴とする請求項７ないし９のいずれか１項に記載の電波時計用のクロック装置の製造方法。
【発明の詳細な説明】
【０００１】
【発明の属する技術分野】
本発明は、通常、ＪＪＹと呼ばれている時刻を較正するための標準電波を受信して、内蔵するクロックの時刻を修正することができる電波時計用のクロック装置及びその製造方法に関するものであり、より詳細には、この標準電波を受信して内蔵するクロックの時刻を修正することができる電波時計用のクロック装置をパッケージ化することによって、より小型化して省スペースを図ると共に、より安価に提供することを目的とした電波時計用のクロック装置及びその製造方法に関するものである。
【０００２】
【従来の技術】
標準電波を受信して時刻を修正する電波時計用のクロック装置は、最近では、腕時計や置時計等の時計ばかりでなく、内部で時刻を生成するクロックを有する各種の情報機器、例えば、携帯電話やカーナビゲーション装置、パーソナルコンピュータ、ＰＤＡ（Ｐｅｒｓｏｎａｌ  Ｄｉｇｉｔａｌ  Ａｓｓｉｓｔａｎｔ）等に内蔵されているクロックの時刻を自動的に修正して、常に正確な時刻を表示するために使用されるようになってきた。
【０００３】
これらの各種の情報機器、特に、携帯して任意の場所で情報をやりとりする携帯可能な小型の情報機器においては、より小型で持ち運びが容易な情報機器とすると共に、より安価な情報機器とすることが要求されている。このため、これらの情報機器において、標準電波を受信して時刻を自動的に修正するために使用される電波時計用のクロック装置も、小型化して省スペースを図ると共に、より安価にすることが求められている。
【０００４】
これらの携帯可能な小型の情報機器に使用される従来技術の標準電波を受信して時刻を修正する電波時計用のクロック装置は、図６にその１例を斜視図として示すように、標準電波を受信するアンテナとして棒状のアンテナ組立体３０を使用することが通常であり、このアンテナ組立体３０は、コアの外周にコイルを巻回して構成されたアンテナ３１と、アンテナ３１の両端にフランジ３２及び３３を有しているものであって、このアンテナ３１の外周に巻回されたコイルのリード３１ａ、３１ｂは、図に示すように、情報機器の回路基板３４に形成された回路パターン３５に直接接続され、或いは、フランジ３２又は３３に配置されたコイル接続用端子（図示しない）を介して回路基板３４に形成された回路パターン３５に接続されている。
【０００５】
更に、回路基板３４に形成された回路パターン３５には、アンテナ３１と共働して共振回路を形成する同調用コンデンサ３６、所定の周波数でクロック信号を発生する水晶発振器３７、及びこの水晶発振器３７のクロック信号によって時刻を生成するクロックと電波時計の受信回路とを駆動すると共に、受信回路で受信した標準電波によってクロック装置の時刻を修正するＩＣ３８、このＩＣ３８のためのコンデンサ３９、４０などが実装されており、全体として標準電波を受信して時刻を自動的に修正する電波時計用のクロック装置が形成されていた。
【０００６】
この従来技術における電波時計用のクロック装置は、図から明らかなように、情報機器を構成するための各種回路を形成する回路基板３４の一部に配置されているものであって、他の回路との関係もあって、小型化して省スペース化するのために最適な位置に配置することができない場合もあり、汎用の実装装置でアンテナ組立体３０やＩＣ３８等を部品として実装するために広い実装スペースを必要とし、実装するための工数もある程度以下に削減することは困難であった。
【０００７】
【発明が解決しようとする課題】
本発明は、このような従来技術の問題点を解消して、時刻を較正するための標準電波を受信して、内蔵するクロックの時刻を自動的に修正する電波時計用のクロック装置を、全体としてより小型化して省スペースを図ると共に、実装工程を含めた全体としてより安価にすることが可能な電波時計用のクロック装置を提供することを目的とするものである。
【０００８】
【課題を解決するための手段】
本発明は、これらの従来技術の問題点を解決するために、標準電波を受信するアンテナと、該アンテナと共働して共振回路を構成する同調用コンデンサと、表面に、少なくとも前記アンテナと前記同調用コンデンサとを実装して、標準電波を受信する受信回路を構成する回路パターンを形成し、裏面に回路基板と接続する電極を形成すると共に、側面に前記回路パターンと前記電極とを接続する接続用導体を形成した基板とを有することを特徴とする電波時計用のクロック装置を提供するものである。
【０００９】
ここで、前記回路パターンに、前記受信回路を構成する前記アンテナと前記同調用コンデンサと共に、所定のクロック信号を発生する水晶発振器、及び前記共振回路を駆動して前記アンテナで受信した受信信号を処理すると共に前記水晶発振器から得た前記クロック信号を処理して、前記クロック信号と前記受信信号とを比較して時刻を修正するＩＣの少なくとも一方が配置されていることが望ましく、更に、前記アンテナと前記同調用コンデンサ、或いは前記アンテナと前記同調用コンデンサ及び前記水晶発振器と前記ＩＣとの少なくとも一方、のいずれかが実装された前記基板の表面が樹脂封止されていることが望ましい。そして、前記アンテナが複数個であって、異なった方向に沿って配置されていることが望ましく、前記アンテナが複数個であって、異なった方向に沿って配置されているアンテナが、互いに直交する４方向に突出して形成された十字型のアンテナであることが望ましい。或いは、前記アンテナが、あらかじめ保護コーティングされた耐熱アンテナであることが望ましい。
【００１０】
また、本発明は、従来技術の問題点を解決するために、標準電波を受信するアンテナと、該アンテナと共働して共振回路を構成する同調用コンデンサと、少なくとも前記アンテナと前記コンデンサとを実装する基板とを有する電波時計用のクロック装置において、前記アンテナと前記同調用コンデンサとを実装する基体が、前記基板をマトリックス状に配置した集合基板であって、該集合基板の表面に、前記アンテナと前記同調用コンデンサとを実装して受信回路を構成するための回路パターンを形成する回路形成工程と、前記集合基板の所定の位置に、前記アンテナと前記同調用コンデンサとをそれぞれ実装する実装工程と、前記アンテナと前記同調用コンデンサとの実装された前記集合基板を樹脂封止するモールド工程と、この樹脂封止された前記集合基板をダイシングして、個々の電波時計用のクロック装置に分割するダイシング工程とを有することを特徴とする電波時計用のクロック装置の製造方法を提供するものである。
【００１１】
ここで、前記集合基板にマトリックス状に配置された前記基板の隅部に基板の側面の一部を構成する貫通孔を設け、前記回路形成工程において、前記集合基板の表面に前記回路パターンを、裏面に回路基板と接続する電極を、前記貫通孔に前記回路パターンと前記電極とを接続する接続用導体を形成すること望ましい。又は、前記集合基板の表面には、前記アンテナと前記同調用コンデンサと共に、所定のクロック信号を発生する水晶発振器、及び前記共振回路を駆動して前記アンテナで受信した受信信号を処理すると共に前記水晶発振器から得た前記クロック信号を処理して、前記クロック信号と前記受信信号とを比較して時刻を修正するＩＣの少なくとも一方が実装されることが望ましく、更に、前記実装工程で実装される前記アンテナが、あらかじめ保護コーティングされた耐熱アンテナであることが望ましい。
【００１２】
【発明の実施の形態】
以下に、本発明の実施の形態を実施例を示す図面に基づいて説明する。図１は本発明の電波時計用のクロック装置の１実施例を示すものであって、（ａ）は平面図、（ｂ）は断面図、（ｃ）は下面図である。また、図２は本発明の電波時計用のクロック装置の他の実施例を示すものであって、（ａ）は平面図、（ｂ）は断面図、（ｃ）は下面図であり、図３は本発明の電波時計用のクロック装置の第３の実施例を示すものであって、（ａ）は平面図、（ｂ）は断面図、（ｃ）は下面図であり、図４は本発明の電波時計用のクロック装置の第４の実施例を示すものであって、（ａ）は平面図、（ｂ）は断面図、（ｃ）は下面図である。また、図５は本発明の電波時計用のクロック装置の製造方法の１実施例を示す平面図である。
【００１３】
図１（ａ）に示すように、本発明の電波時計用のクロック装置１は、標準電波を受信して時刻を自動的に較正するものであり、基板２の表面に所定の回路パターン（図示しない）が形成されており、この回路パターンの所定の位置に、標準電波を受信するアンテナ３と、このアンテナ３と共働して共振回路を構成する同調用コンデンサ４、この共振回路と共に図示しない水晶発振器を制御して駆動するＩＣ５、このＩＣ５のためのコンデンサ６、７等の部品が実装されている。この基板２の表面に実装されるアンテナ３、ＩＣ５、同調用コンデンサ４及びコンデンサ６、７の位置は、電波時計用のクロック装置１を全体としてより小型化して省スペース化すると共に、基板２にアンテナ３、ＩＣ５、同調用コンデンサ４及びコンデンサ６、７を容易に実装することができる位置に配置する。
【００１４】
この実施例の電波時計用のクロック装置１には、基板２の表面に実装されたアンテナ３、ＩＣ５、同調用コンデンサ４及びコンデンサ６、７を配置して所定の回路パターン（図示しない）で接続して構成されているので、基板２の外部に配置される水晶発振器（図示しない）を付加するのみで、標準電波を受信して時刻を自動的に較正することができるクロックを構成することができる。
【００１５】
アンテナ３、ＩＣ５、同調用コンデンサ４及びコンデンサ６、７等の部品を実装する回路パターン（図示しない）には、基板２の四隅の側面に配置された円弧状の接続用導体８が接続されており、さらに、この接続用導体８は裏面に形成された電極９（図１（ｃ）参照）に接続されている。ここで、この接続用導体８と電極９は、電波時計用のクロック装置１として情報機器の回路基板に接続するのに必要な個数だけ設ければ足りるものであって、必ずしも４個に限定されるものではなく、後述するように、基板２の側面の任意の位置に追加して設けることができる。そして、この電極９は、電波時計用のクロック装置１を情報機器の回路基板に実装する際に、情報機器の回路基板に接続して固定される電極となる。
【００１６】
基板２の表面に実装されたアンテナ３、ＩＣ５、同調用コンデンサ４及びコンデンサ６、７等の部品は、図１（ａ）のＡ−Ａ線断面図である図１（ｂ）に明瞭に示され、図１（ａ）に想像線で示すように、モールド体１０で基板２と一体に樹脂封止されている。このモールド体１０は、基板２の表面に実装されたアンテナ３、ＩＣ５、同調用コンデンサ４及びコンデンサ６、７等の部品を基板２に一体にして保持するとともに、外部の環境からこれらの部品及び回路パターン（図示しない）を保護するものである。
【００１７】
このようにして、標準電波を受信して時刻を自動的に較正することができるクロック装置をモジュール化して電波時計用のクロック装置１として構成することによって、情報機器の製造においては、電波時計用のクロック装置１と付加的な部品（この実施形態では水晶発振器）を実装するのみで標準電波を受信して時刻を自動的に較正することができるクロック装置が完成するので、実装のための工数を大幅に削減することができる。また、電波時計用のクロック装置１を製造する際には、アンテナ３等の部品の形状をこの目的に合致するように変更することも可能となり、実装装置も専用の実装装置を採用して狭いスペースに高速で実装することが可能となるので、標準電波を受信して時刻を自動的に較正するための電波時計のクロック装置を全体としてより小型化して省スペース化し、より安価に製造することが可能となる。
【００１８】
図２は本発明の他の実施例を示すものである。ここで、図１に示す実施例の電波時計用のクロック装置１と図２に示す実施例の電波時計用のクロック装置１１との相違点は、図２に示す実施例の電波時計用のクロック装置１１では、水晶発振器１２を基板２上に配置し、共振回路と水晶発振器とを制御して駆動するＩＣ（図示しない）を電波時計用のクロック装置１１（基板２）の外部に配置するように構成した点である。このように構成することによって、標準電波を受信する受信回路を電波時計用のクロック装置１１に配置し、このクロックを使用する情報機器との接続の多いＩＣを情報機器の回路基板（図示しない）に配置することができる。その他の構成は図１に示す第１の実施例と同様なので、第１の実施例と同じ符号を付けて詳細な説明は省略する。
【００１９】
図３は本発明の第３の実施例を示すものである。ここで、図１又は図２に示す第１又は第２の実施例の電波時計用のクロック装置１又は１１とこの実施例の電波時計用のクロック装置１３との相違点は、この実施例の電波時計用のクロック装置１３では、標準電波を受信するアンテナとしてアンテナ３ａと３ｂとの２個が配置されており、このアンテナ３ａと３ｂとがそれぞれ異なる複数の方向（実施例では相互に直交する方向）に沿って配置されており、アンテナ３ａと３ｂのそれぞれ対応して、アンテナと共働して共振回路を構成する同調用コンデンサも同調用コンデンサ４ａと４ｂの２個が配置されている点、及びＩＣ５と水晶発振器１２の双方が基板２上に配置されている点、並びに基板２の側面に形成される接続用導体８及び底面に形成される電極９がそれぞれ６個ずつ配置されている点である。
【００２０】
この実施例では、このようにアンテナを配置することによって、アンテナの指向性を改善して、電波の方向によって受信装置の感度に変動が生じるのを防止すると共に、ＩＣ５と水晶発振器１２との双方を基板２の上に配置することによって、標準電波を受信して時刻を自動的に較正する電波時計のクロック装置として必要な全ての機能を有する電波時計用のクロック装置１２としたものであり、基板２の大きさに対応して、基板２の側面に形成される接続用導体８及び底面に形成される電極９をそれぞれ６個ずつ配置したものである。そして、このように構成されているので、このモジュール化した電波時計用のクロック装置１３を情報機器の回路基板（図示しない）に実装するのみで、標準電波を受信して時刻を自動的に修正する電波時計のクロック装置とすることができると共に、情報機器の回路基板に接続する電極９を増加することができる。
【００２１】
この実施例は、アンテナの指向性を改善するために、アンテナ３ａ、３ｂと同調用コンデンサ４ａ、４ｂとがそれぞれ２個ずつ配置されている点、及びＩＣ５と水晶発振器１２との双方が基板２上に配置されている点、及び電極９が６個に増加している点を除けば、その他の構成は図１又は図２に示す第１又は第２の実施例と同様なので、第１又は第２の実施例と同じ符号を付けて詳細な説明は省略する。
【００２２】
図４は本発明の第４の実施例を示すものである。ここで、この実施例の電波時計用のクロック装置１４と図３に示す実施例の電波時計用のクロック装置１３との相違点は、図３に示す実施例の電波時計用のクロック装置１３では直交する２方向に沿って配置された標準電波を受信するアンテナ３ａと３ｂとが、この実施例の電波時計用のクロック装置１４では互いに直交する４方向に突出して形成された十字型のアンテナ１５となっている点、及び基板２の側面に形成される接続用導体８及び底面に形成される電極９がそれぞれ８個ずつ配置されている点を除けば、その他の構成は図１又は図２に示す第１又は第２の実施例と同様なので、第１又は第２の実施例と同じ符号を付けて詳細な説明は省略する。
【００２３】
この実施例に示された十字型のアンテナ１５は、図３に示す第３の実施例の２個のアンテナ３ａ、３ｂを十字型にして一体化したものであって、第３の実施例に示すアンテナ３ａが横方向のアンテナ１５ａに、アンテナ３ｂが縦方向のアンテナ１５ｂになって、中央のブロック１５ｃで一体に結合されている。従って、アンテナ１５ａと１５ｂのそれぞれ対応して、アンテナと共働して共振回路を構成する同調用コンデンサも、同調用コンデンサ４ａと４ｂの２個が配置されている。
【００２４】
そして、本実施例では、このようなアンテナ１５を使用することによって、第３の実施例と同様に、指向性を改善して、電波の方向によって受信装置に感度の変動が生じるのを防止することができると共に、モジュール化した電波時計用のクロック装置１４を情報機器の回路基板（図示しない）に実装するのみで、標準電波を受信して時刻を自動的に較正する電波時計のクロック装置とすることができる。
【００２５】
本発明の電波時計のクロック装置１、１１、１３、１４は、このように構成されているので、基板２上にアンテナ３、１５、ＩＣ５、水晶発振器１２、同調用コンデンサ４及びコンデンサ６、７等の部品を実装して樹脂封止された単一の部品となるので、専用の部品として取り扱うことが可能となり、情報機器の回路基板にこの電波時計のクロック装置を実装するのみで、安価に標準電波を受信して時刻を自動的に修正する電波時計とすることができる。さらに、電波時計のクロック装置に実装するアンテナ等の部品の配置や形状をこの目的に合致するように変更することも可能となり、実装装置も専用の実装装置を採用して狭いスペースに高速で実装することが可能となるので、標準電波を受信して時刻を自動的に修正する電波時計のクロック装置を全体としてより小型化して省スペース化し、より安価に製造することが可能となる。
【００２６】
図４は、図１に示す本発明の電波時計のクロック装置１を製造するための製造方法の１実施例を示すものである。図１に示すように、回路パターン（図示しない）と電極９及び接続用導体８（図１〜４参照）を形成する基体として、基板２（図１〜４参照）をマトリックス状に多数配置した集合基板１６を使用する。最初に、この集合基板１６の基板２（図１〜４参照）の四隅の位置及び必要なときにはその中間部の位置に貫通孔１７を穿孔し、次の回路形成工程でこの貫通孔１７が穿孔された集合基板１６の表面に回路パターン（図示しない）を形成し、裏面に電極９（図１〜４参照）を、貫通孔１７の内面に接続用導体８（図１〜４参照）を形成する。
【００２７】
次の実装工程では、回路パターン（図示しない）及び電極９及び接続用導体８（図１〜４参照）が形成された集合基板１６の表面の所定の位置に、アンテナ３又は１５、ＩＣ５、水晶発振器１２、同調用コンデンサ４、及びコンデンサ６、７（図１〜４参照）等の各種の部品（以下、各種の部品と略称する）を、電波時計のクロック装置を構成するように、基板２の回路パターンの所定の位置に配置して実装する。ここで、アンテナ３又は１５は、公害の発生を防止するためにハンダを鉛フリー化して高温でリフローする際に、コアにクラックが発生したり、コイルに断線が生じたりしないために、あらかじめシリコン又はウレタン系の耐熱塗料で保護コーティングされた耐熱アンテナを使用することが望ましい。その他の回路形成工程と実装工程とは、すでに公知となっている各種の回路形成工程及び実装工程をそのまま適用することができるので、回路形成工程及び実装工程の具体的な内容についてのこれ以上の説明は省略する。
【００２８】
実装工程で、各種の部品が実装された集合基板１６の表面は、次のモールド工程で樹脂封止される。このモールド工程による樹脂封止は、モールド体１０で基板２（図１〜４参照）の表面に実装された各種の部品を樹脂封止して基板２（図１〜４参照）にしっかりと固定すると共に、回路パターンや実装された各種の部品を外部の環境から保護するものであると同時に、次工程のダイシング工程における切断液や粉塵の影響から回路パターンや各種の部品を遮断するものである。このモールド体１０は集合基板１６の表面を全面的に被覆してもよいが、後述するように、基板２（図１〜４参照）の貫通孔１７に形成された接続用導体８（図１〜４参照）が露出するように、図５に示すように、帯状のモールド体１０とすることが望ましい。
【００２９】
次に、モールド体１０が硬化した後に、ダイシング工程で、部品が樹脂封止された集合基板１６を基板２（図１〜４参照）の隅部に設けられた貫通孔１７（接続用導体８）の位置を通過するように縦横にダイシングして、個々の電波時計用のクロック装置１に分割する。このとき、モールド体１０を帯状に配置することによって、集合基板１６に設けられた貫通孔１７が露出するので、この貫通孔１７の中心を通過する切断線１８及び１９を通って切断することによって、正確でかつ容易に個々の電波時計用のクロック装置１に分割することができる。
【００３０】
以上の説明では、図１に示された標準電波を受信して自動的に修正するための電波時計用のクロック装置１又は１１、１３、１４を製造する製造方法を例にして説明したが、他の実施例、例えば、図２〜図４に示す標準電波を受信して較正するための電波時計用のクロック装置１１、１３又は１４でも、全く同様にして製造することができることは明らかなので、重複を避けるために、ここではこれらの実施例についての説明は省略する。
【００３１】
以上、本発明の電波時計用のクロック装置及びその製造方法の実施例について説明したが、前述したように、本発明の電波時計用のクロック装置は、標準電波を受信するアンテナと、このアンテナと共働して共振回路を構成する同調用コンデンサと、表面に、少なくともアンテナと同調用コンデンサとを実装して、標準電波を受信する受信回路を構成する回路パターンを形成し、裏面に回路基板と接続する電極を形成すると共に、側面に前記回路パターンと前記電極とを接続する接続用導体を形成した基板とを有することを特徴とする電波時計用のクロック装置であって、実施例に述べた実施の形態に限定されるものではなく、本発明の要旨を逸脱しない範囲において各種の変更や改良を行うことができることは勿論である。
【００３２】
また、本発明の電波時計用のクロック装置の製造方法は、アンテナと同調用コンデンサとを実装する基体が、基板をマトリックス状に配置した集合基板であって、この集合基板の表面に、アンテナと同調用コンデンサとを実装して受信回路を構成するための回路パターンを形成する回路形成工程と、集合基板の所定の位置に、アンテナと同調用コンデンサとをそれぞれ実装する実装工程と、アンテナと同調用コンデンサとの実装された集合基板を樹脂封止するモールド工程と、この樹脂封止された集合基板をダイシングして、個々の電波時計用のクロック装置に分割するダイシング工程とを有することを特徴とする電波時計用のクロック装置の製造方法であって、同様に、実施例に述べた実施の形態に限定されるものではなく、本発明の要旨を逸脱しない範囲において各種の変更や改良を行うことができることは勿論である。
【００３３】
【発明の効果】
本発明の電波時計用のクロック装置は、以上に述べたように構成されているので、基板上に少なくともアンテナ及び同調用コンデンサ等を実装して樹脂封止された単一の部品となって、１パッケージの表面実装型の電波時計用のクロック装置となり、特定用途の専用の部品として取り扱うことが可能となり、情報機器の回路基板にこの電波時計用のクロック装置を実装するのみで、安価に標準電波を受信して時刻を自動的に修正する電波時計を構成することができ、時刻を較正するための標準電波を受信して、内蔵するクロックの時刻を自動的に修正する電波時計用のクロック装置を、全体としてより小型化して省スペースを図ると共に、実装工程を含めた全体としてより安価にすることが可能な電波時計用のクロック装置を提供することができる。
【００３４】
さらに、電波時計用のクロック装置に実装するアンテナ等の部品の形状をこの目的に合致するように変更することも可能となり、実装装置も専用の実装装置を採用して狭いスペースに高速で実装することが可能となるので、標準電波を受信して内蔵するクロックの時刻を自動的に修正する電波時計用のクロック装置を全体としてより小型化して、より安価に製造することが可能となる。
【００３５】
また、本発明の電波時計用のクロック装置の製造方法は、以上に述べたように構成されているので、基板をマトリックス状に配置した集合基板に回路パターンを形成し、この回路パターンの所定の位置にアンテナ、同調用コンデンサ等の部品を実装した後、これらの部品を樹脂封止し、この樹脂封止された集合基板をダイシングして、個々の電波時計用のクロック装置の製造方法に分割するので、大量にかつ安価に電波時計用のクロック装置を製造することができる。
【図面の簡単な説明】
【図１】本発明の電波時計用のクロック装置の１実施例を示すものであって、（ａ）は平面図、（ｂ）は断面図、（ｃ）は下面図である。
【図２】本発明の電波時計用のクロック装置の他の実施例を示し、（ａ）は平面図、（ｂ）は断面図、（ｃ）は下面図である。
【図３】本発明の電波時計用のクロック装置の第３の実施例を示し、（ａ）は平面図、（ｂ）は断面図、（ｃ）は下面図である。
【図４】本発明の電波時計用のクロック装置の第４の実施例を示し、（ａ）は平面図、（ｂ）は断面図、（ｃ）は下面図である。
【図５】本発明の電波時計用のクロック装置の製造方法の１実施例を示す平面図である。
【図６】従来技術の電波時計用のクロック装置の１例を示す斜視図である。
【符号の説明】
１、１１、１３、１４  電波時計用のクロック装置
２  基板
３、１５  アンテナ
４  同調用コンデンサ
５  ＩＣ
６、７  コンデンサ
８  接続用導体
９  電極
１０  モールド体
１２  水晶発振器
１６  集合基板
１７  貫通孔
１８、１９  切断線
【図１】
2004279280.tif 000003
【図２】
2004279280.tif 000004
【図３】
2004279280.tif 000005
【図４】
2004279280.tif 000006
【図５】
2004279280.tif 000007
【図６】
2004279280.tif 000008